(57)【要約】【課題】小型化及び低コスト化を図ることができる除電装置を提供する。【解決手段】除電装置は、ハウジング１３内に収容保持されハウジング１３の吸引口を介して一方の空気を吸引しつつ、ハウジング１３の吹出口１３ｂを介して吸引した方向と直交する方向に空気を吹き出すためのシロッコファン１４と、高電圧を発生するための圧電トランス２１と、圧電トランス２１を駆動制御するための制御回路基板２２と、圧電トランス２１に接続される放電針４１と、放電針４１と離間して設けられる接地電極４２とを備える。そして、放電針４１は、その長手方向が空気を吹き出す方向と直交する方向に沿って設けられ、接地電極４２は、放電針４１の先端と該放電針４１の長手方向に対向して設けられる。又、接地電極４２、放電針４１、圧電トランス２１、及び制御回路基板２２は、この順でシロッコファン１４の軸中心を中心として該シロッコファン１４の周囲に配列される。【選択図】図２
2011014318.tif 000002
【特許請求の範囲】
【請求項１】
吸引口、及び該吸引口と直交する方向に開口した吹出口を有するハウジングと、
前記ハウジング内に収容保持され前記吸引口を介して一方の空気を吸引しつつ、前記吹出口を介して吸引した方向と直交する方向に空気を吹き出すためのシロッコファンと、
前記ハウジング内に収容保持され高電圧を発生するための圧電トランスと、
前記ハウジング内に収容保持され前記圧電トランスを駆動制御するための制御回路部材と、
前記吹出口に設けられるとともに前記圧電トランスに電気的に接続される放電針と、
前記放電針と離間するように前記吹出口に設けられる接地電極と
を備え、前記圧電トランスにて発生させた高電圧を前記放電針に印加してコロナ放電を発生させることで前記放電針の先端の周囲の空気をイオン化し、該イオン化された空気を前記シロッコファンにて吹き出す除電装置であって、
前記放電針は、その長手方向が前記空気を吹き出す方向と直交する方向に沿って設けられ、
前記接地電極は、前記放電針の先端と該放電針の長手方向に対向して設けられ、
前記接地電極、前記放電針、前記圧電トランス、及び前記制御回路部材は、この順で前記シロッコファンの軸中心を中心として該シロッコファンの周囲に配列されたことを特徴とする除電装置。
【請求項２】
請求項１に記載の除電装置において、
前記ハウジングは、前記シロッコファンの軸線方向から見て略四角形に形成され、
前記接地電極と前記放電針の組と、前記圧電トランスと、前記制御回路部材とは、前記ハウジングの軸線方向から見た３つの辺にそれぞれ沿って配置されたことを特徴とする除電装置。
【請求項３】
請求項１又は２に記載の除電装置において、
前記接地電極と前記制御回路部材に設けられる接地端子部とは、前記放電針及び前記圧電トランスと共に、前記シロッコファンの周囲を略一周するように配設されたグランド用配線を介して接続されたことを特徴とする除電装置。
【請求項４】
請求項１乃至３のいずれか一項に記載の除電装置において、
前記放電針及び前記接地電極は、前記ハウジングの前記吹出口と連通する貫通孔を有する絶縁性のユニットケースに保持されて該ユニットケースと共に放電ユニットを構成し、
前記放電ユニットは、前記ハウジングに対して前記空気を吹き出す方向と直交する方向に沿って着脱可能に構成されたことを特徴とする除電装置。
【請求項５】
請求項１乃至４のいずれか一項に記載の除電装置において、
前記放電針は、前記シロッコファンの軸線方向に沿って前記圧電トランスを挟むように一対設けられたことを特徴とする除電装置。
【発明の詳細な説明】
【技術分野】
【０００１】
本発明は、例えば、電子部品等の静電気を除去するための除電装置に関するものである。
【背景技術】
【０００２】
従来、電子部品等への塵埃の付着を防止すべく、電子部品等の製造ラインや作業台等には静電気を除去するための除電装置が固定される。このような除電装置としては、ハウジング内に、一方の空気を吸引しつつ吸引した方向と直交する方向に空気を吹き出すためのシロッコファンと、高電圧を発生する圧電トランスと、圧電トランスを駆動制御する制御回路部材とを備えたものがある（例えば、特許文献１参照）。又、この除電装置は、更にハウジングの吹出口に設けられ圧電トランスに接続される放電針と、放電針と離間して設けられる接地電極とを備え、放電針はその長手方向が空気を吹き出す方向（吹き出し方向）に沿って設けられ、接地電極は放電針の長手方向軸線周りを取り囲むようにハウジングに固定されている。このように除電装置では、圧電トランスにて発生させた高電圧を放電針に印加してコロナ放電を発生させることで放電針の先端の周囲の空気をイオン化し、該イオン化された空気をシロッコファンにて吹き出すようになっている。
【先行技術文献】
【特許文献】
【０００３】
【特許文献１】特開２００２−１５１２９３号公報
【発明の概要】
【発明が解決しようとする課題】
【０００４】
しかしながら、上記のような除電装置では、放電針の長手方向が空気を吹き出す方向に沿って設けられるため、放電針の長手方向軸線周りを取り囲む接地電極とともに、空気を吹き出す方向に沿った大きなスペースを必要とし、大型化してしまうという問題がある。
【０００５】
又、上記のような除電装置では、接地電極が放電針の長手方向軸線周りを取り囲む構成であり、接地電極が放電針より圧電トランスにおける高電圧側に近くなってしまうため、圧電トランスにおける高電圧側から接地電極への誤放電を回避すべく、圧電トランスにおける高電圧側を接地電極（放電針）から十分に離間させる必要がある。よって、圧電トランスにおける高電圧側と放電針とを接続するための高電圧用の配線（導体）が長くなってしまう。又、圧電トランスにおける高電圧側から接地電極への誤放電を回避するために、圧電トランスにおける高電圧側と接地電極（放電針）とを大きく離間させないまでも他の絶縁するための構造を介在させることが考えられるが、この場合、絶縁するための構造によって、大型化したり、構造が複雑化してしまう。更に、上記のような除電装置では、制御回路部材は、高電圧の近傍に配置されることによる不具合を回避すべく、放電針及び圧電トランスにおける高電圧側と遠い位置に配置する必要がある。又、圧電トランスと放電針とを接続する高電圧用の配線に対しても制御回路部材を遠い位置に配置することが好ましい。これらのことから、部品配置の制約が多く大型化してしまうとともに、高電圧用の配線が長くなることで高コスト化してしまうという問題がある。
【０００６】
本発明は、上記課題を解決するためになされたものであって、その目的は、小型化及び低コスト化を図ることができる除電装置を提供することにある。
【課題を解決するための手段】
【０００７】
上記課題を解決するために、請求項１に記載の発明では、吸引口、及び該吸引口と直交する方向に開口した吹出口を有するハウジングと、前記ハウジング内に収容保持され前記吸引口を介して一方の空気を吸引しつつ、前記吹出口を介して吸引した方向と直交する方向に空気を吹き出すためのシロッコファンと、前記ハウジング内に収容保持され高電圧を発生するための圧電トランスと、前記ハウジング内に収容保持され前記圧電トランスを駆動制御するための制御回路部材と、前記吹出口に設けられるとともに前記圧電トランスに電気的に接続される放電針と、前記放電針と離間するように前記吹出口に設けられる接地電極とを備え、前記圧電トランスにて発生させた高電圧を前記放電針に印加してコロナ放電を発生させることで前記放電針の先端の周囲の空気をイオン化し、該イオン化された空気を前記シロッコファンにて吹き出す除電装置であって、前記放電針は、その長手方向が前記空気を吹き出す方向と直交する方向に沿って設けられ、前記接地電極は、前記放電針の先端と該放電針の長手方向に対向して設けられ、前記接地電極、前記放電針、前記圧電トランス、及び前記制御回路部材は、この順で前記シロッコファンの軸中心を中心として該シロッコファンの周囲に配列されたことを要旨とする。
【０００８】
同構成によれば、放電針はその長手方向が空気を吹き出す方向と直交する方向に沿って設けられ、接地電極は放電針の先端と該放電針の長手方向、即ち空気を吹き出す方向と直交する方向に対向して設けられるため、放電針の長手方向が空気を吹き出す方向に沿って設けられるものに比べて、空気を吹き出す方向に小型化することができる。
【０００９】
又、接地電極、放電針、圧電トランス、及び制御回路部材は、この順でシロッコファンの軸中心を中心として該シロッコファンの周囲に配列されるため、圧電トランスにおける高電圧側を放電針の近傍に配置することでそれらの高電圧用の配線を短くすることができる。又、接地電極が放電針より圧電トランスにおける高電圧側に近づいてしまうことがなく、圧電トランスにおける高電圧側から接地電極への誤放電を回避することができる。又、制御回路部材が放電針及び圧電トランスにおける高電圧側と遠い位置（圧電トランスにおける低電圧側）に配置されることになるため、高電圧の近傍に配置されることによる制御回路部材の不具合を回避することができる。これらのことから部品配置の制約が減って自由度が増すとともに、高電圧用の配線を短くすることができ、小型化及び低コスト化を図ることができる。
【００１０】
請求項２に記載の発明では、請求項１に記載の除電装置において、前記ハウジングは、前記シロッコファンの軸線方向から見て略四角形に形成され、前記接地電極と前記放電針の組と、前記圧電トランスと、前記制御回路部材とは、前記ハウジングの軸線方向から見た３つの辺にそれぞれ沿って配置されたことを要旨とする。
【００１１】
同構成によれば、接地電極と放電針の組と、圧電トランスと、制御回路部材とは、ハウジングの軸線方向から見た３つの辺にそれぞれ沿って配置されるため、ハウジングをシロッコファンの外形より大幅に大きくすることなく、整頓して配設することができる。尚、各部品を整頓して配設することは、除電装置の製造容易性や、各部品のメンテナンス性の向上に寄与することになる。
【００１２】
請求項３に記載の発明では、請求項１又は２に記載の除電装置において、前記接地電極と前記制御回路部材に設けられる接地端子部とは、前記放電針及び前記圧電トランスと共に、前記シロッコファンの周囲を略一周するように配設されたグランド用配線を介して接続されたことを要旨とする。
【００１３】
同構成によれば、接地電極と制御回路部材に設けられる接地端子部とは、放電針及び圧電トランスと共に、シロッコファンの周囲を略一周するように配設されたグランド用配線を介して接続されるため、グランド用配線をも放電針及び圧電トランスにおける高電圧側と遠い位置に配置することができるとともに、各部品を整頓して配設することができる。特に、請求項２に記載の構成にこの構成を適用すると、接地電極と放電針の組と、圧電トランスと、制御回路部材と、グランド用配線とを、ハウジングの軸線方向から見た４つの辺にそれぞれ沿って配置でき、各部品を整頓して配設することができる。
【００１４】
請求項４に記載の発明では、請求項１乃至３のいずれか一項に記載の除電装置において、前記放電針及び前記接地電極は、前記ハウジングの前記吹出口と連通する貫通孔を有する絶縁性のユニットケースに保持されて該ユニットケースと共に放電ユニットを構成し、前記放電ユニットは、前記ハウジングに対して前記空気を吹き出す方向と直交する方向に沿って着脱可能に構成されたことを要旨とする。
【００１５】
同構成によれば、放電針及び接地電極は、ハウジングの吹出口と連通する貫通孔を有する絶縁性のユニットケースに保持されて該ユニットケースと共に放電ユニットを構成し、該放電ユニットは、ハウジングに対して前記空気を吹き出す方向と直交する方向に沿って着脱可能に構成されるため、放電針のメンテナンスが容易となる。詳しくは、例えば、放電針の長手方向が空気を吹き出す方向（吹き出し方向）に沿って設けられ、その放電針の長手方向軸線周りを取り囲むように接地電極がハウジングに固定された（従来の）ものでは、メンテナンスのために放電針を接地電極に対して抜き出す必要があり、その作業が困難となるがそれを回避することができる。特にシロッコファンを備えた除電装置は、その送風能力に基づいて一般的にワーク（作業台）との距離が近く設定されて固定されるため、放電針を吹き出し方向に抜き出す作業がスペース上、困難となるがそれを回避することができる。即ち、放電ユニットは、ハウジングに対して空気を吹き出す方向と直交する方向に沿って着脱可能に構成されるため、ワーク（作業台）との距離が近く設定されて固定されていても、吹き出し方向に大きなスペースを必要とせず、容易に取り外してメンテナンスを行うことができる。又、例えば、放電ユニットを、ハウジングに対して空気を吹き出す方向に沿って着脱可能とすると、振動及び送風力等によって放電ユニットがワーク（作業台）側に脱落し易い構造となってしまうが、吹き出す方向と直交する方向に沿って着脱可能に構成することで、放電ユニットがワーク（作業台）側に脱落し難い構造とすることができる。又、放電針は絶縁性のユニットケースに保持されるため、作業者は感電を回避するための何らかの手段や治具を用いることなく、ユニットケースを把持して放電ユニットを容易に着脱すことができる。
【００１６】
しかも、放電針と接地電極とがユニットケースに保持されるため、それらの相対位置の精度を高く安定させることができる。例えば、放電針をユニットケースに保持させ、接地電極をハウジングに固定すると、それらの相対位置がばらつく虞あるが、それを回避することができる。
【００１７】
請求項５に記載の発明では、請求項１乃至４のいずれか一項に記載の除電装置において、前記放電針は、前記シロッコファンの軸線方向に沿って前記圧電トランスを挟むように一対設けられたことを要旨とする。
【００１８】
同構成によれば、放電針は、シロッコファンの軸線方向に沿って圧電トランスを挟むように一対設けられることで、シロッコファンの軸線方向から見て放電針と圧電トランスとが重なるため、シロッコファンの軸線方向から見た圧電トランスの配置スペースを確保しながら大型化を抑制することができる。即ち、シロッコファンの軸線方向から見て放電針と圧電トランスとが重ならないように配置すると、シロッコファンの軸線方向から見た圧電トランスの配置スペースが確保できず同方向から見て大型化してしまう（若しくは圧電トランスの小型化を余儀なくされる）が、これを回避することができる。
【００１９】
しかも、放電針がシロッコファンの軸線方向に沿って圧電トランスを挟むように一対設けられることで、放電針がシロッコファンの軸線方向に沿った両側寄りに配置されるため、同方向にバランス良くイオン化された空気を吹き出すことが可能となる。
【発明の効果】
【００２０】
本発明によれば、小型化及び低コスト化を図ることができる除電装置を提供することができる。
【図面の簡単な説明】
【００２１】
【図１】本実施形態における除電装置の斜視図。
【図２】本実施の形態における上側ケースを除く除電装置の平面図。
【図３】本実施形態における除電装置の正面図。
【図４】本実施形態における除電装置の分解正面図。
【図５】本実施形態における除電装置の分解斜視図。
【図６】本実施形態における除電装置の分解斜視図。
【発明を実施するための形態】
【００２２】
以下、本発明を具体化した一実施形態を図１〜図６に従って説明する。
図１及び図２に示すように、本実施形態の除電装置は、下側ケース１１と上側ケース１２（図１参照）とからなるハウジング１３と、該ハウジング１３内に収容保持されるシロッコファン１４（図２参照）とを備える。
【００２３】
下側ケース１１と上側ケース１２とからなるハウジング１３は、上面と下面が略正方形で側面が略長方形の扁平箱状に形成され、その上面（上側ケース１２）の中央に円形の吸引口１３ａが形成され、図５に示すように、その一側面（除電装置の正面）に前記吸引口１３ａと直交する方向に開口した吹出口１３ｂが形成されている。尚、吹出口１３ｂは、下側ケース１１の一側面と上側ケース１２の一側面とにそれぞれ形成された切り欠き部が合わせられて１つの開口として形成されている。又、吹出口１３ｂは、ハウジング１３の一側面（図２中、下側の側面）において、隣り合う他の側面（図２中、左側の側面）寄りに形成されている。又、前記吸引口１３ａには、ハウジング１３内部への塵埃の吸引を阻止するための防塵フィルター１５が固定されている。
【００２４】
シロッコファン１４は、ファンケース１４ａと、ファンケース１４ａ内に収容されたファン１４ｂと、ファン１４ｂを回転駆動するための図示しないモータとがユニット化されたものである。ファンケース１４ａは、ファン１４ｂの（回転）軸中心上にある上面に円形開口部１４ｃが形成された略円盤中空状に形成されるとともに、その外周の一部から（内部と連通して）接線方向の一方に延びる吹出筒部１４ｄを有する。
【００２５】
そして、シロッコファン１４は、円形開口部１４ｃが前記吸引口１３ａと対応するように、且つ吹出筒部１４ｄが前記吹出口１３ｂと対応するようにボルト１６（図２参照）等によってハウジング１３内に収容保持されている。シロッコファン１４は、駆動されると、前記吸引口１３ａを介して一方（上方）の空気を吸引しつつ、前記吹出口１３ｂを介して吸引した方向と直交する方向（側方）に空気を吹き出すように動作する。
【００２６】
又、除電装置は、図２に示すように、ハウジング１３内に収容保持され高電圧を発生するための圧電トランス２１と、ハウジング１３内に収容保持され圧電トランス２１を駆動制御するための制御回路部材としての制御回路基板２２とを備える。
【００２７】
詳しくは、ハウジング１３の前記一側面（図２中、下側の側面）において前記吹出口１３ｂより隣り合う前記他の側面（図２中、左側の側面）側には、前記吹出口１３ｂの開口方向（図２中、下方向）に前記他の側面（図２中、左側の側面）を延長するとともに前記ハウジング１３の内部を延長するように膨出した膨出収容部１３ｃが形成されている。又、膨出収容部１３ｃにおいて、前記一側面（図２中、下側の側面）から直角に延びる面には、図５に示すように、ハウジング１３の内外を連通した接続用スリット１３ｄが形成されている。
【００２８】
一方、圧電トランス２１は、長尺の略直方体形状に形成され、トランス用基板２３上に実装されている。
そして、圧電トランス２１は、前記トランス用基板２３と共に、その一部であって高電圧側の端部２１ａが前記膨出収容部１３ｃに収容されるように、前記ハウジング１３の１つの辺（シロッコファン１４の軸線方向（上方）から見た１つの辺であって、前記他の側面（図２中、左側の側面））に沿って、シロッコファン１４の周囲に配置されている。又、本実施の形態の圧電トランス２１は、図３及び図４に示すように、ハウジング１３の上下方向（前記シロッコファン１４の軸線方向）における中央に配置されている。又、圧電トランス２１の低電圧側の端部２１ｂは、ハウジング１３の内部において前記一側面（図２中、下側の側面）と対向する対向側面（図２中、上側の側面）の近傍位置まで延びて配置されている。
【００２９】
又、本実施の形態のトランス用基板２３において、前記接続用スリット１３ｄから覗く位置には、圧電トランス２１の高電圧側に接続される配線及び接続端子としてのばね端子２３ａが固定されている。ばね端子２３ａは、前記接続用スリット１３ｄの貫通方向（図２中、左右方向）に可撓性を有し、図４に示すように、ハウジング１３の上下方向（シロッコファン１４の軸線方向）に沿って圧電トランス２１を挟むように一対設けられている。尚、図２では、ばね端子２３ａが接続用スリット１３ｄ側からの（図中、左方向に向かう）外力により撓められた状態を図示している。
【００３０】
又、制御回路基板２２は、圧電トランス２１を駆動制御するための素子の他にも、例えば、外部電源からの外部コネクタ２４と嵌合可能なコネクタ２５や、電源表示用の発光ダイオード２６や、エラー表示用の発光ダイオード２７や、エラー検出用の素子等、種々の素子が実装されてなる。
【００３１】
そして、制御回路基板２２は、前記ハウジング１３の１つの辺（シロッコファン１４の軸線方向（上方）から見た１つの辺であって、前記対向側面（図２中、上側の側面））に沿って、シロッコファン１４の周囲に配置されている。そして、制御回路基板２２は、圧電トランス２１に屈曲されたピンヘッダー２８及び前記トランス用基板２３を介して電気的に接続されている。尚、前記電源表示用の発光ダイオード２６や、エラー表示用の発光ダイオード２７は、ハウジング１３に収容された状態で、図１及び図５に示すように、ハウジング１３（上側ケース１２）の外部に露出するようになっている。
【００３２】
又、除電装置は、図２に示すように、前記ハウジング１３において前記吹出口１３ｂが形成された前記一側面（図２中、下側の側面）に固定されるグランド用基板２９と、該グランド用基板２９と前記制御回路基板２２に設けられた接地端子部とを電気的に接続するグランド用配線としてのグランド用導線３０とを備える。このグランド用導線３０は、前記ハウジング１３の１つの辺（シロッコファン１４の軸線方向（上方）から見た１つの辺であって、圧電トランス２１が配置される側と反対側の側面（図２中、右側の側面））に沿って、前記シロッコファン１４の周囲に配置されている。又、本実施の形態のグランド用導線３０は一対設けられ、グランド用基板２９には各グランド用導線３０と接続された一対のグランド用端子３１が設けられている。このグランド用端子３１は、図６に示すように、ハウジング１３の前記一側面（図２中、下側の側面）に形成されたグランド用窓１３ｅから外部に突出するとともに、その突出方向に沿った可撓性を有して設けられている。
【００３３】
又、除電装置は、図１〜図３に示すように、放電針４１と、該放電針４１と離間するように設けられる接地電極４２と、放電針４１及び接地電極４２とを保持し前記吹出口１３ｂと連通する貫通孔４３ａを有する絶縁性の樹脂材よりなるユニットケース４３とから構成されて前記ハウジング１３に装着される放電ユニット４４を備える。
【００３４】
放電ユニット４４は、ハウジング１３に対して空気を吹き出す方向（即ち、吹出口１３ｂの貫通方向）と直交する方向であって、前記接続用スリット１３ｄの貫通方向（図２〜図４中、左右方向）に沿って着脱（装着及び取り外し）可能に構成されている。
【００３５】
本実施の形態の放電ユニット４４は、ユニットケース４３がハウジング１３と機械的に係合することで該ハウジング１３に着脱可能とされ、同ハウジング１３に装着される。
詳しくは、前記ハウジング１３の前記一側面（前記吹出口１３ｂが形成された側面）において、吹出口１３ｂの上側及び下側には、図５に示すように、前記膨出収容部１３ｃと連続するとともにその膨出方向に突出したハウジング上壁１３ｆとハウジング下壁１３ｇとが形成されている。ハウジング上壁１３ｆ及びハウジング下壁１３ｇの突出方向の各先端部には、互いに対向する方向に僅かに突出した把持爪１３ｈ，１３ｉが形成されている。
【００３６】
又、ハウジング上壁１３ｆ及びハウジング下壁１３ｇの前記膨出収容部１３ｃと離間した側において互いに対向する面には、図３〜図６に示すように、相反する方向に凹設された上壁係合凹部１３ｊ及び下壁係合凹部１３ｋが形成されている。上壁係合凹部１３ｊは、図４に示すように、吹出口１３ｂの貫通方向から見て、方形状に凹設され、下壁係合凹部１３ｋは、吹出口１３ｂの貫通方向から見て、底部ほど幅が狭くなる三角形状に凹設されている。
【００３７】
一方、ユニットケース４３は、前記吹出口１３ｂと連通する前記貫通孔４３ａを構成すべく、上下で平行に延びる板状の上壁部４３ｂ及び下壁部４３ｃと、該上壁部４３ｂの第１端部（図３及び図４中、左側端部）と下壁部４３ｃの第１端部とを連結し放電針４１を保持する針側連結部４３ｄと、上壁部４３ｂの第２端部（図３及び図４中、右側端部）と下壁部４３ｃの第２端部とを連結し接地電極４２を保持する接地側連結部４３ｅとを有する。
【００３８】
そして、図５に示すように、上壁部４３ｂ及び下壁部４３ｃにおいて、前記把持爪１３ｈ，１３ｉと対応した角の位置には、該把持爪１３ｈ，１３ｉにて把持可能に凹設された把持凹部４３ｆ，４３ｇが形成されている。
【００３９】
又、上壁部４３ｂ及び下壁部４３ｃには、針側連結部４３ｄ側が開放したコ字状にスリットが形成されることで、該コ字状の内側に可撓性を有する上壁片４３ｈ及び下壁片４３ｉが形成されている。そして、上壁片４３ｈにおいて前記上壁係合凹部１３ｊと対応した位置には、該上壁係合凹部１３ｊに嵌る上壁係合凸部４３ｊが形成され、下壁片４３ｉにおいて前記下壁係合凹部１３ｋと対応した位置には、該下壁係合凹部１３ｋに嵌る下壁係合凸部４３ｋが形成されている。上壁係合凸部４３ｊは、図４に示すように、貫通孔４３ａの貫通方向から見て、抜け止めのエッジを有する直角三角形形状に凸設され、下壁係合凸部４３ｋは、貫通孔４３ａの貫通方向から見て、頂部ほど幅が狭くなる三角形状に凸設されている。又、本実施の形態の接地側連結部４３ｅの上側（上壁部４３ｂ側）には、針側連結部４３ｄと離間する方向に膨出した膨出把持部４３ｌが形成され、該膨出把持部４３ｌ側まで延びる上壁片４３ｈの先端部には、下方に押圧することで上壁片４３ｈ（及び上壁係合凸部４３ｊ）を下方に撓ませるための係合解除用凸部４３ｍが形成されている。即ち、ユニットケース４３には、上壁係合凸部４３ｊ、下壁係合凸部４３ｋ、及び係合解除用凸部４３ｍが形成された上壁片４３ｈ及び下壁片４３ｉ等によってハウジング１３への着脱を可能とする所謂スナップフィット構造が構成されている。そして、これらの構成により、放電ユニット４４（ユニットケース４３）は、ハウジング１３に対して空気を吹き出す方向（即ち、吹出口１３ｂの貫通方向）と直交する方向であって、前記接続用スリット１３ｄの貫通方向（図２〜図４中、左右方向）に沿って着脱（装着及び取り外し）可能とされている。
【００４０】
又、本実施の形態では、ユニットケース４３がハウジング１３に装着された状態で該ハウジング１３と機械的に係合する範囲Ｈ（図３参照）であって、把持凹部４３ｆ，４３ｇが把持爪１３ｈ，１３ｉにて把持される範囲Ｈが、放電ユニット４４の装着方向の直交方向から見て放電ユニット４４がハウジング１３との機械的な係合が解除される係合解除位置（図４参照）まで取り外し方向に（スライド）移動された際に、該放電ユニット４４がハウジング１３の端部（前記取り外し方向の端部であって、図４中、右側端部）から突出しないように設定されている。
【００４１】
又、前記放電針４１は、その長手方向が前記空気を吹き出す方向（即ち、吹出口１３ｂ及び貫通孔４３ａの貫通方向）と直交する方向（図２〜図４中、左右方向）に沿って設けられるように、且つ、その尖った先端側が貫通孔４３ａ内に配置され、その基端側が外部に突出するように、前記針側連結部４３ｄに固定ブッシュ４５を介して固定されている。又、放電針４１は、貫通孔４３ａにおける貫通方向（空気を吹き出す方向）の中間部であって、略中心位置に配置されている。
【００４２】
又、本実施の形態の放電針４１は、図３に示すように、前記接続用スリット１３ｄ（図５参照）及び一対の前記ばね端子２３ａと対応して、ハウジング１３の上下方向（シロッコファン１４の軸線方向）に沿って圧電トランス２１を挟むように一対設けられている。即ち、本実施の形態の放電針４１は、放電ユニット４４がハウジング１３に装着されることでばね端子２３ａを撓ませつつ該ばね端子２３ａと押圧接触し電気的に接続されるように設けられている。
【００４３】
又、前記接地電極４２は、放電針４１の先端と該放電針４１の長手方向に対向して設けられるように、前記接地側連結部４３ｅに固定されている。又、本実施の形態の接地電極４２は、接地側連結部４３ｅの膨出把持部４３ｌにおいてハウジング１３の前記一側面（図２中、下側の側面）と対向する側であって一対の前記グランド用端子３１と対応した位置に屈曲して延びる接触片４２ａを有している。即ち、本実施の形態の接地電極４２の接触片４２ａは、放電ユニット４４がハウジング１３に装着されることで一対の前記グランド用端子３１と押圧接触し電気的に接続されるように設けられている。尚、この接触片４２ａは、放電ユニット４４がハウジング１３に装着された状態で一対のグランド用端子３１同士をも電気的に接続する役目を果たし、制御回路基板２２における放電ユニット４４が装着されたか否かの検出を可能としている。又、本実施の形態の接地電極４２は、接触片４２ａの先端から更に屈曲して延びる固定片４２ｂ（図１参照）がねじ止めされることで接地側連結部４３ｅ（膨出把持部４３ｌ）に固定されている。
【００４４】
又、ユニットケース４３には、（貫通方向から見て）前記貫通孔４３ａを区画して空気の流れを制御するための、詳しくは、空気の流れの乱れを整えたり、空気の流れの量や方向を設定するための板状の流体制御板４３ｎが形成（一体成形）されている。この流体制御板４３ｎは、前記貫通孔４３ａにおける貫通方向の全域に渡って（端から端まで）形成されている。
【００４５】
又、流体制御板４３ｎは、放電針４１の長手方向と平行に形成されている。又、流体制御板４３ｎは、放電針４１毎に貫通孔４３ａを区画すべく、本実施の形態では２つ形成されている。詳しくは、本実施の形態の２つの流体制御板４３ｎは、貫通孔４３ａを上下方向に略均等に３つに区画し、３つに区画された内の上側と下側とにそれぞれ放電針４１が配置されている。尚、流体制御板４３ｎが配設される間隔は、作業者の指等が貫通孔４３ａの貫通方向の両方から放電針４１（その先端）に達するまで侵入し難くなるように考慮されて設定されている。
【００４６】
このように構成された除電装置では、圧電トランス２１にて発生された高電圧が放電針４１に印加されてコロナ放電が発生されることで放電針４１の先端の周囲の空気がイオン化され、該イオン化された空気がシロッコファン１４の送風動作にて吹き出され、例えば、電子部品等への塵埃の付着が防止される。
【００４７】
次に、上記実施の形態の特徴的な作用効果を以下に記載する。
（１）放電針４１はその長手方向が空気を吹き出す方向と直交する方向に沿って設けられ、接地電極４２は放電針４１の先端と該放電針４１の長手方向、即ち空気を吹き出す方向と直交する方向に対向して設けられるため、放電針４１の長手方向が空気を吹き出す方向に沿って設けられるものに比べて、空気を吹き出す方向に小型化することができる。
【００４８】
又、接地電極４２、放電針４１、圧電トランス２１、及び制御回路基板２２は、この順でシロッコファン１４の軸中心（詳しくは、そのファン１４ｂの（回転）軸中心）を中心として該シロッコファン１４の周囲に配列されるため、圧電トランス２１における高電圧側（その端部２１ａ）を放電針４１の近傍に配置することでそれらの高電圧用の配線としてのばね端子２３ａを短くすることができる。又、接地電極４２が放電針４１より圧電トランス２１における高電圧側（その端部２１ａ）に近づいてしまうことがなく、圧電トランス２１における高電圧側から接地電極４２への誤放電を回避することができる。又、制御回路基板２２が放電針４１及び圧電トランス２１における高電圧側（その端部２１ａ）と遠い位置（圧電トランス２１における低電圧側）に配置されることになるため、高電圧の近傍に配置されることによる制御回路基板２２の不具合を回避することができる。これらのことから部品配置の制約が減って自由度が増すとともに、高電圧用の配線（本実施の形態ではばね端子２３ａ）を短くすることができ、小型化及び低コスト化を図ることができる。
【００４９】
（２）接地電極４２と放電針４１の組（放電ユニット４４）と、圧電トランス２１と、制御回路基板２２とは、ハウジング１３の軸線方向から見た３つの辺にそれぞれ沿って配置されるため、ハウジング１３をシロッコファン１４の外形より大幅に大きくすることなく、整頓して配設することができる。尚、各部品を整頓して配設することは、除電装置の製造容易性や、各部品のメンテナンス性の向上に寄与することになる。
【００５０】
（３）接地電極４２と制御回路基板２２に設けられる接地端子部とは、放電針４１及び圧電トランス２１と共に、シロッコファン１４の周囲を略一周するように配設されたグランド用導線３０を介して接続されるため、グランド用導線３０をも放電針４１及び圧電トランス２１における高電圧側と遠い位置に配置することができるとともに、各部品を整頓して配設することができる。特に、本実施の形態では、接地電極４２と放電針４１の組（放電ユニット４４）と、圧電トランス２１と、制御回路基板２２と、グランド用導線３０とを、ハウジング１３の軸線方向から見た４つの辺にそれぞれ沿って配置したため、各部品を整頓して配設することができる。
【００５１】
（４）放電針４１及び接地電極４２は、ハウジング１３の吹出口１３ｂと連通する貫通孔４３ａを有する絶縁性の樹脂材よりなるユニットケース４３に保持されて該ユニットケース４３と共に放電ユニット４４を構成している。そして、放電ユニット４４は、ハウジング１３に対して前記空気を吹き出す方向と直交する方向に沿って着脱可能に構成されるため、放電針４１のメンテナンスが容易となる。詳しくは、例えば、放電針の長手方向が空気を吹き出す方向（吹き出し方向）に沿って設けられ、その放電針の長手方向軸線周りを取り囲むように接地電極がハウジングに固定された（従来の）ものでは、メンテナンスのために放電針を接地電極に対して抜き出す必要があり、その作業が困難となるがそれを回避することができる。特にシロッコファン１４を備えた除電装置は、その送風能力に基づいて一般的にワーク（作業台）との距離が近く設定されて固定されるため、放電針を吹き出し方向に抜き出す作業がスペース上、困難となるがそれを回避することができる。即ち、放電ユニット４４は、ハウジング１３に対して空気を吹き出す方向と直交する方向に沿って着脱可能に構成されるため、ワーク（作業台）との距離が近く設定されて固定されていても、吹き出し方向に大きなスペースを必要とせず、容易に取り外してメンテナンスを行うことができる。又、例えば、放電ユニットを、ハウジング１３に対して空気を吹き出す方向に沿って着脱可能とすると、振動及び送風力等によって放電ユニットがワーク（作業台）側に脱落し易い構造となってしまうが、吹き出す方向と直交する方向に沿って着脱可能に構成したため、放電ユニット４４がワーク（作業台）側に脱落し難い構造とすることができる。又、放電針４１は絶縁性のユニットケース４３に保持されるため、作業者は感電を回避するための何らかの手段や治具を用いることなく、ユニットケース４３を把持して放電ユニット４４を容易に着脱すことができる。
【００５２】
しかも、放電針４１と接地電極４２とがユニットケース４３に保持されるため、それらの相対位置の精度を高く安定させることができる。例えば、放電針４１をユニットケースに保持させ、接地電極４２をハウジングに固定すると、それらの相対位置がばらつく虞あるが、それを回避することができる。
【００５３】
（５）放電針４１は、シロッコファン１４の軸線方向に沿って圧電トランス２１を挟むように一対設けられることで、シロッコファン１４の軸線方向から見て放電針４１と圧電トランス２１とが重なるため、シロッコファン１４の軸線方向から見た圧電トランス２１の配置スペースを確保しながら大型化を抑制することができる。即ち、シロッコファン１４の軸線方向から見て放電針４１と圧電トランス２１とが重ならないように配置すると、シロッコファン１４の軸線方向から見た圧電トランス２１の配置スペースが確保できず同方向から見て大型化してしまう（若しくは圧電トランス２１の小型化を余儀なくされる）が、これを回避することができる。
【００５４】
しかも、放電針４１がシロッコファン１４の軸線方向に沿って圧電トランス２１を挟むように一対設けられることで、放電針４１がシロッコファン１４の軸線方向に沿った（ハウジング１３の）両側寄りに配置されるため、同方向にバランス良くイオン化された空気を吹き出すことが可能となる。
【００５５】
上記実施の形態は、以下のように変更してもよい。
・上記実施の形態では、接地電極４２と放電針４１の組（放電ユニット４４）と、圧電トランス２１と、制御回路基板２２とは、ハウジング１３の軸線方向から見た３つの辺にそれぞれ沿って配置されるとしたが、接地電極４２、放電針４１、圧電トランス２１、及び制御回路基板２２が、この順でシロッコファン１４の軸中心を中心として該シロッコファン１４の周囲に配列されれば、他の配置に変更してもよい。例えば、ハウジング１３の形状や、各部材のサイズが変更された場合等では、接地電極４２と放電針４１の組（放電ユニット４４）と、圧電トランス２１とを、ハウジング１３の軸線方向から見た１つの辺に沿って並べて配置してもよいし、圧電トランス２１と、制御回路基板２２とを、ハウジング１３の軸線方向から見た１つの辺に沿って並べて配置してもよい。又、例えば、制御回路基板２２を、ハウジング１３の軸線方向から見た２つの辺に渡って沿うように（例えば分割して）配置してもよい。
【００５６】
・上記実施の形態では、接地電極４２と制御回路基板２２に設けられる接地端子部とは、放電針４１及び圧電トランス２１と共に、シロッコファン１４の周囲を略一周するように配設されたグランド用導線３０を介して接続されるとしたが、接地電極４２のグランドへの接続はこれに限定されず、他の構成に変更してもよい。
【００５７】
・上記実施の形態では、放電針４１及び接地電極４２は、絶縁性のユニットケース４３に保持されて該ユニットケース４３と共に放電ユニット４４を構成するとしたが、これに限定されず、他の構成に変更してもよい。
【００５８】
例えば、放電針４１と接地電極４２とがユニット化されずに、それぞれハウジング１３に独立して固定されるものとしてもよい。又、放電ユニット４４は、ハウジング１３に装着されることで放電針４１が圧電トランス２１（ばね端子２３ａ）に電気的に接続されるものとしたが、放電針４１が圧電トランス２１に他の構成で接続されるものとしてもよい。
【００５９】
・上記実施の形態では、放電針４１は、シロッコファン１４の軸線方向に沿って圧電トランス２１を挟むように一対設けられるとしたが、これに限定されず、例えば、１つのみ設けたものとしてもよい。又、例えば、シロッコファン１４の軸線方向から見て放電針４１と圧電トランス２１とが重ならないように配置してもよい。又、勿論、放電針４１の数は３つ以上に変更してもよい。
【符号の説明】
【００６０】
１３…ハウジング、１３ａ…吸引口、１３ｂ…吹出口、１４…シロッコファン、２１…圧電トランス、２２…制御回路基板（制御回路部材）、３０…グランド用導線（グランド用配線）、４１…放電針、４２…接地電極、４３…ユニットケース、４３ａ…貫通孔、４４…放電ユニット。
【図１】
2011014318.tif 000003
【図２】
2011014318.tif 000004
【図３】
2011014318.tif 000005
【図４】
2011014318.tif 000006
【図５】
2011014318.tif 000007
【図６】
2011014318.tif 000008